【手続補正書】
【提出日】平成16年11月19日(2004.11.19)
【手続補正１】
【補正対象書類名】明細書
【補正対象項目名】請求項８
【補正方法】変更
【補正の内容】
【請求項８】
指標として、更に、ストレスの負荷程度を用いることを特徴とする、請求項１〜７何れか１項に記載のエステティック・コースの選択方法。
【手続補正２】
【補正対象書類名】明細書
【補正対象項目名】０００５
【補正方法】変更
【補正の内容】
【０００５】
【課題の解決手段】
本発明者らは、かかる実情に鑑みて、個人に的確に対応したエステティック・コースを提供すること、特に、敏感肌の人も施術されうるコースを含むコースであって、敏感肌の人がかかるコースを間違いなく選択するシステムを求めて、鋭意研究努力を重ねた結果、物理的な刺激量と脂質除去程度を調整して、肌特性別のエステティック・コースを組み立て、肌の感受性と肌の代謝特性とを指標とし、当該エステティック・コースを選択するシステムがこの様な特性を有していることを見いだし、発明を完成させるに至った。即ち、本発明は、以下に示す技術に関するものである。
（１）エステティック・コースの選択方法であって、肌の感受性と肌の代謝特性とを指標とすることを特徴とする、エステティック・コースの選択方法。
（２）肌の感受性が、刺激に対するものであることを特徴とする、（１）に記載のエステティック・コースの選択方法。
（３）肌の感受性が、敏感肌と普通肌の２つの分類を含むものであることを特徴とする、（１）又は（２）に記載のエステティック・コースの選択方法。
（４）肌の代謝特性が、脂質代謝の特性であることを特徴とする、（１）〜（３）何れか１項に記載のエステティック・コースの選択方法。
（５）肌の代謝特性が、脂性肌、乾性肌及び普通肌の分類を含むことを特徴とする、（１）〜（４）何れか１項に記載のエステティック・コースの選択方法。
（６）選択の際の基準が、物理的な刺激量と脂質除去程度であることを特徴とする、（１）〜（５）何れか１項に記載のエステティック・コースの選択方法。
（７）エステティック・コースが、油性クレンジング工程、水性洗顔工程、マッサージ工程、パック工程を含むものであることを特徴とする、（１）〜（６）何れか１項に記載のエステティック・コースの選択方法。
（８）指標として、更に、ストレスの負荷程度を用いることを特徴とする、（１）〜（７
）何れか１項に記載のエステティック・コースの選択方法。
（９）被施術者の嗜好性を補正因子として有することを特徴とする、（１）〜（８）何れか１項に記載のエステティック・コースの選択方法。
（１０）スキンチェック工程を有し、エステティック以後のスキンケア指示工程を含むことを特徴とする、（１）〜（９）何れか１項に記載のエステティック・コースの選択方法。
（１１）更に、肌悩みを選択のための指標に用いることを特徴とする、請求項１〜１０何れか１項に記載のエステティック・コースの選択方法。
（１２）肌悩みによって選択されるエステティック・コースの要素が基礎的な肌手入れであることを特徴とする、（１１）に記載のエステティック・コースの選択方法。
（１３）基礎的な肌手入れがパック化粧料による手入れであることを特徴とする（１１）又は（１２）に記載のエステティック・コースの選択方法。
（１４）肌悩みに色素に関するものと、肌の形態に関するものが含まれていることを特徴とする、（１１）〜（１３）何れか１項に記載のエステティック・コースの選択方法。
以下、本発明について、更に詳細な説明を加える。
【手続補正３】
【補正対象書類名】明細書
【補正対象項目名】０００７
【補正方法】変更
【補正の内容】
【０００７】
エステティックと肌の感受性の関係を、個別に肌のカウンセリングを行い、個々の肌に対応した化粧料を作成し販売する、個対応化粧料販売システムのデーターマイニングより説明する。過去の利用者数２３５６人を対象に、このシステムのカウンセリング材料とする、質問票の質問に１）「過去にエステティックを経験したことがありますか？」と２）「今もエステティックを受けていますか？」３）「次に示すもののうち、経験したことのある事項にチェックを入れてください。（答えの重複可）１．化粧品かぶれ、２．季節の変わり目のぶつぶつなどの肌トラブルの出現、３．タオルなど物理的な刺激での肌の赤変、４．顔に於ける、外傷ではない赤変部位の存在」の４種の質問項目に注目し、１）が「はい」２）が「いいえ」の人（敏感肌；４５１人）を拾った。この人たちのチェックの出現率と、１）が「はい」２）が「いいえ」の人以外の人（その他；１９０５人）のチェックの出現率を表１に示す。これより、何れのチェック項目に於いても１）が「はい」２）が「いいえ」の人の出現率が高いことがわかる。即ち、敏感肌でトラブルを出現しやすい人は、この肌トラブルが原因となってエステティックから遠ざかっていることが推定される。
【手続補正４】
【補正対象書類名】明細書
【補正対象項目名】００１０
【補正方法】変更
【補正の内容】
【００１０】
本発明のエステティック・コースの選択法に於いては、上記の指標より、エステティック・コースを選択するが、この指標と選択基準との関係を説明する。肌の感受性の指標では、エステティック・コースにおける、施術で被施術者に与える物理的刺激量を選択する。かかる物理的刺激量としては、油性クレンジング行為における施術時の摩擦係数、洗顔時に於ける摩擦係数と水性洗顔のための小道具、マッサージ行為に於ける摩擦係数と施術による擦過の程度と手技などが例示できる。普通肌に於いては、クレンジング、マッサージ摩擦係数は敏感肌に比して大きく設定することが、クレンジング効果、マッサージ効果を高めるので好ましい。逆に、敏感肌に於いては摩擦係数をできる限り低くして、クレンジング機能、マッサージに於ける心地よさ付与機能のみを追求することが好ましい。摩擦係数は使用する化粧料の量と剤形に於ける液体成分の割合（液体成分とは１気圧２５℃の条件で流動性を有すること）を調整することにより達成される。即ち、クレンジング料、マッサージ料では、普通肌の人は量として、一人あたり、０．１〜０．５ｇを用い、剤形としては液体成分の割合を９０重量％以下とし、敏感肌の人では、０．６〜２ｇを用いて、液体成分の含有量を９０重量％を越えることが例示できる。又、マッサージに於ける物理的刺激の低減方法としては、手技において、振動などを与えないことも好ましく例示できる。水性洗顔時の摩擦低減手段としては、水性洗顔料の十分な泡立てが例示でき、小道具としてブラシなどの摩擦手段を用いないことが好ましく例示できる。これを前記の４５１人のなかから選別したパネラーのテストより確認する。
【手続補正５】
【補正対象書類名】明細書
【補正対象項目名】００１６
【補正方法】変更
【補正の内容】
【００１６】
本発明のエステティック・コースの選択方法は、肌の代謝特性をもう一つの指標とする。肌の代謝特性の指標では、過剰代謝による代謝産物の量を代表値として用い、その量にあわせて除去方法を選択する。除去手段としては、油性クレンジング料を用いたクレンジングと水洗洗顔料を用いた水性洗顔とが例示できる。油性クレンジングに於いては、手技が除去のための構成要素となる。即ち、皮脂などの代謝産物の量が多い場合には、振動などの物理的な、皮膚からの代謝産物の離脱を促進する手技を用いる。勿論この様な物理的な手技は、敏感肌においては刺激発現を誘起することがあるので用いない。即ち、言い換えれば、肌の感受性が代謝特性よりも上位の選択指標となる。又、クレンジングに於いては、ブラシによる擦過等の除去のための小道具を含めた手技がその構成要素となる。即ち、代謝産物の量が多い場合には、この様な物理的な代謝産物除去処置を積極的に行い、肌に代謝産物が残らないようにする。この時も、肌の感受性が代謝特性よりも上位の選択指標となることは、クレンジングと同様である。
【手続補正６】
【補正対象書類名】明細書
【補正対象項目名】００２４
【補正方法】変更
【補正の内容】
【００２４】
（エステティック行為７）エステティック行為３の水性洗顔料１ｇを用いて、エステティック行為３にブラシによる擦過を加えて操作した。結果を表６に示す。これより、代謝量の多い人も除去がエステティック行為４に比し改善されていることがわかる。又、満足度も向上していることもわかる。この行為は、代謝特性が普通の人には影響を与えないこともわかる。
【手続補正７】
【補正対象書類名】明細書
【補正対象項目名】００２６
【補正方法】変更
【補正の内容】
【００２６】
マッサージ行為に於いては、肌の感受性を留意すれば良く、敏感肌の人に対して、前述のごとき、物理的刺激の少ないマッサージを行うことが好ましい。感受性が普通の人には、下記に示すごとく、マッサージ時に於いても振動を加えることが好ましい。又、代謝物の量が多い人の場合には、吸引などの処置を加えることが好ましい。
【手続補正８】
【補正対象書類名】明細書
【補正対象項目名】００２９
【補正方法】変更
【補正の内容】
【００２９】
本発明のエステティック・コースの選択方法に於いては、クレンジング、水性洗顔、マッサージ以外に、通常行われている、パック化粧料によるパック、化粧水、乳液、クリームなどの基礎化粧料による手入れを行うことができる。この内、特にエステティック効果の大きいパックについては、前記の２つの指標を利用してその方法を選択することが好ましい。即ち、感受性の指標に従って、敏感肌の人には物理的な刺激を少ないパック方法を選択する第一選択基準と、普通肌の人であって、代謝物の多い人には前記代謝物の除去能のあるパック料を選択する第二選択基準である。物理的な刺激の少ないパック方法としては、皮膚が刺激を感じにくいパック料を使用することであり、この様なパック料としては、アルギン酸ゲルを利用したパック料やフォーム状のパック料が好ましく例示でき、中でも、アルギン酸ゲルのパック化粧料が好ましく例示できる。ここでアルギン酸ゲルを利用したパック料とは、アルギン酸やアルギン酸ナトリウムなどのアルギン酸の可溶液をカルシウムイオンなどのアルカリ土類金属イオンでゲル化させて、当該ゲルをパック料の担体として用いるものである。この様な技術としては、特開２０００−２４７８３１号、特開２０００−３２７５５４号、特開２００１−３０２４９３号などに記載された技術が利用できるものとして好適に例示できる。又，フォーム状のパックとしては、高級アルコールを含有する乳化物をイソブタンやプロパンなどのガスとともに噴出させるタイプのパック料が好ましく例示できる。アルギン酸ゲルパックは感受性が普通の人でも使用できるので、普通肌の人は幅広い選択肢を有することになる。
【手続補正９】
【補正対象書類名】明細書
【補正対象項目名】００３０
【補正方法】変更
【補正の内容】
【００３０】
本発明のエステティック・コースの選択方法に於いては、前記の肌の手入れの選択は、肌悩みに対応して選択されることが好ましい。特に、肌悩みの解決に寄与の大きいパック料の選択に反映させることが好ましい。前記の個別対応化粧料の販売データ（２３５６人）からは、この様な肌悩みとしては、しわなどの皮膚表面形態に関するもの、色黒やくすみなどの色素に関するもの、前記の肌の代謝特性とも関連する、脂質の異常分泌などの代謝に関するものや肌のかさかさ感などの保湿因子に関わるものなどが例示できる。又、かかるお手入れについて、お手入れ効果の阻害要因として、ストレスの過剰負荷があるため、ストレスが過剰負荷状況にある人は、パックの段階でストレス負荷を減じておくことは、トータルとしてのお手入れ効果を向上できるので好ましい。この様なパック方法としては、ストレスを減じる効果のあるラベンダーなどの香油成分を含んだパック料でパックを行うことが好ましく例示できる。又、ストレスが過剰に負荷されている人には、マッサージ時に於いても、ラベンダー、ローズマリー、レモンなどのストレスを緩和する作用を有する香料を香りだたせることも、ストレス軽減に大きな効果を有するので好ましい。身体的に不良な人にはマッサージ時にミントなどの香りをたたせることが好ましい。好ましいパック剤形と肌悩みとの対応を例示するならば、アルギン酸ゲル剤形は、その有効成分を変えることにより、殆どの肌悩みに対応したものができるが、皮膚形態に関する効果などは、有効成分のより深い部位までのデストリビューションが要求されるため、機密性の高い製剤には及ばないし、保湿因子に関わるものも接触面積が大きくなるアルギン酸ゲルタイプであって、発泡タイプの剤形には及ばない。逆に言えば、皮膚形態に関する効果を得るためには、石膏タイプのパック料や、ピールオフタイプのパック料が好ましい剤形として例示できる。この内、石膏タイプが特に好ましい。又、保湿因子に関わる作用、言い換えれば、トリートメント効果を得るためには、アルギン酸ゲルタイプであって、発泡タイプのものを選択することが好ましい。これは表面被覆特性と微発熱効果による。又、ストレス軽減には、フォーム状であって香油成分を含有するものが好ましい。これはフォーム状のパック料を接触させる場合において、泡の接触感がリラクゼーションを誘起するためと、泡の破裂・消滅時の緩やかな振動が香気成分のゆるいだ（１／ｆゆるぎを有する）香り立ちを具現化するためである。これにより、抗ストレス性の香気成分を効果的に吸入させることができ、このストレス緩和作用により、その後の肌のお手入れと、その前に行ったエステティック行為の遅延的効果の向上が達成できる。又、この様な肌悩みの解決のための有効成分としては、色素に関する肌悩みに対しては、アスコルビン酸、アスコルビン酸リン酸エステル、アスコルビン酸の配糖体、コウジ酸、フェルラ酸、アルブチン及びその塩から選択されるものが好ましく、皮膚形態に関わる悩みに対してはウルソール酸、ウルソール酸アルキルエステル、ウルソール酸ベンジルのようなウルソール酸の芳香族性エステル等のトリテルペン酸、そのエステル或いは塩が好ましく、保湿因子に関する肌悩みに対しては、ポリメタクリロイルオキシエトキシホスホリルコリン、ポリリジン、ポリメタクリロイルリジンなどのアミノ酸ペンダント型ポリマー等、アミノ基乃至はホスホリルコリン基などの生体親和性基を有するポリマーやトレハロース、硫酸化トレハロースの塩などが好ましく例示できる。代謝物に関する肌悩みに対しては、ゲンノショウコ・タンニン等の脂質分泌抑制剤などが好ましく例示できる。これらの含有量は、効能により異なるが、０．０１〜５重量％が好ましい。これは少なすぎると効果が現れない場合があり、多すぎても効果が頭打ちになる場合があるからである。
【手続補正１０】
【補正対象書類名】明細書
【補正対象項目名】００３５
【補正方法】変更
【補正の内容】
【００３５】
（試験例）感受性が普通であり、肌悩みが保湿に関するものである人（脂質代謝が増大していなくてかさかさ感のある人で且つストレス負荷が異常に大きくない人）で保湿以外の処置を希望した人２０人（１群１０人、計２群）を対象に、次のエステティック（約１週間後）迄のアドバイスを行うことの効果を確かめた。即ち、１群はアドバイスを行わず、もう１群は前記の角質細胞の分析に基づいた化粧料の選択を行い、次のエステティック処置までの１週間、その化粧料でお手入れをすることを勧めた。残りの群は、１週間後エステティックを受けるように指示したのみで、ほかの指示は行わなかった。エステティック後、ＴＥＷＬの測定を行い、１週間後エステティックの訪れたときに、エステティックを始める前に、再度ＴＥＷＬを測定した。（２回目のエステティック前のＴＥＷＬ−１回目のエステティック後のＴＥＷＬ）/(２回目のエステティック前のＴＥＷＬ)×１００の式でＴＥＷＬ抑制値を測定した。結果はアドバイス群が１２．６％、非アドバイス群が１８．２％であり、アドバイス群はエステティックの効果が持続していることがわかる。